(57)【特許請求の範囲】
【請求項１】
無線通信システムにおいて基地局で制御メッセージを伝送する方法であって、
前記方法は、
少なくとも一つのユーザー機器に対する複数の制御メッセージに適用されるＭＣＳ（Ｍｏｄｕｌａｔｉｏｎ  ａｎｄ  Ｃｏｄｉｎｇ  Ｓｃｈｅｍｅ）レベルに基づいて前記複数の制御メッセージをグループ化することによりＸ個の制御メッセージグループを生成することであって、Ｘは、正の整数である、ことと、
複数のインデックスのうち、前記Ｘ個の制御メッセージグループそれぞれに含まれる制御メッセージの個数の組み合わせに対応するインデックスを伝送することであって、前記複数のインデックスの各々は、Ｇｘ（ｘ＝１、・・・Ｘ）の複数の可能な組み合わせのうちの一つに対応し、Ｇｘは、制御メッセージグループｘ（ｘ＝１、・・・Ｘ）に含まれる制御メッセージの個数である、ことと、
前記インデックスに基づいて、前記Ｘ個の制御メッセージグループを伝送することと
を含み、
前記複数の制御メッセージに適用されるＭＣＳレベルの変調方法は、ＱＰＳＫ（Ｑｕａｄｒａｔｕｒｅ  Ｐｈａｓｅ  Ｓｈｉｆｔ  Ｋｅｙｉｎｇ）であり、
前記Ｘ個の制御メッセージグループのうちの同一の制御メッセージグループに含まれる制御メッセージは、同一のＭＣＳレベルを使用する、方法。
【請求項２】
前記複数の制御メッセージは、パワーブースティングされた再使用−３周波数領域および再使用−１周波数領域のうちの少なくとも一つの周波数領域内に位置する、請求項１に記載の方法。
【請求項３】
前記Ｘ個の制御メッセージグループそれぞれに含まれる制御メッセージの個数の組み合わせに対応するインデックスは、前記パワーブースティングされた再使用−３周波数領域または前記再使用−１周波数領域内のみに位置する、請求項２に記載の方法。
【請求項４】
前記Ｘ個の制御メッセージグループは、前記複数の制御メッセージに適用されるＭＣＳレベルに基づいて整列された状態で伝送される、請求項２に記載の方法。
【請求項５】
前記Ｘ個の制御メッセージグループの各々は、論理的に連続あるいは物理的に連続したリソースユニットを占有する、請求項２に記載の方法。
【請求項６】
前記Ｘ個の制御メッセージグループは、同一のＭＣＳレベルが適用されるが異なる周波数領域内に位置する制御メッセージが異なる制御メッセージグループに含まれるように、生成される、請求項１〜５のいずれか一項に記載の方法。
【請求項７】
前記複数のインデックスの総数が前記Ｇｘの可能な組み合わせの総数未満になるように、前記複数のインデックスのうちの少なくとも一つのインデックスは、前記Ｇｘの可能な組み合わせのうちの二つ以上の組み合わせを表す組み合わせに対応する、請求項１〜５のいずれか一項に記載の方法。
【請求項８】
前記Ｘ個の制御メッセージグループは、同一のＭＣＳレベルが適用されるが異なる周波数領域内に位置する制御メッセージが異なる制御メッセージグループに含まれるように、生成される、請求項７に記載の方法。
【請求項９】
無線通信システムにおいてユーザー機器で基地局から制御メッセージを受信する方法であって、
前記方法は、
複数のインデックスのうち、Ｘ個の制御メッセージグループそれぞれに含まれる制御メッセージの個数の組み合わせに対応するインデックスを前記基地局から受信することであって、前記複数のインデックスの各々は、Ｇｘ（ｘ＝１、・・・Ｘ）の複数の可能な組み合わせのうちの一つに対応し、Ｇｘは、制御メッセージグループｘ（ｘ＝１、・・・Ｘ）に含まれる制御メッセージの個数である、ことと、
少なくとも一つのユーザー機器に対する複数の制御メッセージに適用されるＭＣＳ（Ｍｏｄｕｌａｔｉｏｎ  ａｎｄ  Ｃｏｄｉｎｇ  Ｓｃｈｅｍｅ）レベルに基づいて前記複数の制御メッセージをグループ化することにより生成された前記Ｘ個の制御メッセージグループを前記基地局から受信することと、
前記インデックスに基づいて前記Ｘ個の制御メッセージグループのうちの少なくとも一つの制御メッセージグループに含まれる制御メッセージをデコーディングすることと
を含み、
前記複数の制御メッセージに適用されるＭＣＳレベルの変調方法は、ＱＰＳＫ（Ｑｕａｄｒａｔｕｒｅ  Ｐｈａｓｅ  Ｓｈｉｆｔ  Ｋｅｙｉｎｇ）であり、
前記Ｘ個の制御メッセージグループのうちの同一の制御メッセージグループに含まれる制御メッセージは、同一のＭＣＳレベルを使用する、方法。
【請求項１０】
前記複数の制御メッセージは、パワーブースティングされた再使用−３周波数領域および再使用−１周波数領域のうちの少なくとも一つの周波数領域内に位置する、請求項９に記載の方法。
【請求項１１】
前記Ｘ個の制御メッセージグループそれぞれに含まれる制御メッセージの個数の組み合わせに対応するインデックスは、前記パワーブースティングされた再使用−３周波数領域または前記再使用−１周波数領域内のみに位置する、請求項１０に記載の方法。
【請求項１２】
一つ以上の制御メッセージは、前記複数の制御メッセージに適用されるＭＣＳレベルに基づいて整列された状態で受信される、請求項１０に記載の方法。
【請求項１３】
前記Ｘ個の制御メッセージグループの各々は、論理的に連続あるいは物理的に連続したリソースユニットを占有する、請求項１０に記載の方法。
【請求項１４】
前記Ｘ個の制御メッセージグループは、同一のＭＣＳレベルが適用されるが異なる周波数領域内に位置する制御メッセージが異なる制御メッセージグループに含まれるように、生成される、請求項９〜１３のいずれか一項に記載の方法。
【請求項１５】
前記複数のインデックスの総数が前記Ｇｘの可能な組み合わせの総数未満になるように、前記複数のインデックスのうちの少なくとも一つのインデックスは、前記Ｇｘの可能な組み合わせのうちの二つ以上の組み合わせを表す組み合わせに対応する、請求項９〜１３のいずれか一項に記載の方法。
【請求項１６】
前記Ｘ個の制御メッセージグループは、同一のＭＣＳレベルが適用されるが異なる周波数領域内に位置する制御メッセージが異なる制御メッセージグループに含まれるように、生成される、請求項１５に記載の方法。
【請求項１７】
請求項１〜１６のいずれか一つを実行するように構成されたデバイス。
【請求項１８】
デバイスに請求項１〜１６のいずれか一つを実行させるように前記デバイスのコンピュータを実行するようにプログラムされたプログラム。
【発明の詳細な説明】
【技術分野】
【０００１】
本発明は、セルラー（ｃｅｌｌｕｌａｒ）システムにおいて、ユーザー機器またはユーザー機器グループに制御メッセージが伝送される際に、ユーザー機器が受信した制御メッセージをディテクションするに当たってその複雑度を低減する方法に関するものである。。
【背景技術】
【０００２】
セルラーシステムにおいて端末が基地局からデータを受信するためには、各端末に各自のデータが存在するリソースの位置、変調及びコーディング方法、ＭＩＭＯ方式などのような各種の情報メッセージ（以下、‘制御メッセージ’と称する。）がまず伝送されなければならない。このような制御メッセージ（ｃｏｎｔｒｏｌ  ｍｅｓｓａｇｅ）は、基地局からデータを受信しようとする各端末に存在すべきである。同様に、複数の端末をグループ化（ｇｒｏｕｐｉｎｇ）し、グループ別に制御メッセージを伝送する方法も考慮されることができる。この場合、それぞれの制御メッセージの大きさは、情報の内容と変調及びコーディング方法によって変わることがある。
【０００３】
一方、基地局が異なる大きさの制御メッセージを端末に伝送するにあって、制御メッセージのフレーム内における配置情報と変調及びコーディング情報をあらかじめ知らせる方法と当該情報を知らせない方法をそれぞれ考慮することができる。
【０００４】
前者の場合、各端末は、該当の制御メッセージのフレーム内における位置と変調及びコーディング情報を知っているため、該当の制御メッセージを簡易にディテクション（ｄｅｔｅｃｔｉｏｎ）できるが、追加的な情報をさらに伝送しなければならないという不具合がある。
【０００５】
これに対し、後者の場合は、追加的な情報が伝送されないからオーバーヘッド（ｏｖｅｒｈｅａｄ）は発生しないが、各端末は、自身の制御メッセージを確認するためにブラインドディテクション（ｂｌｉｎｄ  ｄｅｔｅｃｔｉｏｎ）を行わなければならない。これは、全ての端末が、フレーム内の制御メッセージが存在する全ての区間でブラインドディテクションを行わなければならないということを意味する。一方、ブラインドディテクションをする時に考慮すべきケース（ｃａｓｅ）の数が多くなると、制御メッセージを確認するための複雑性及び時間が増加し、端末の電力損失につながる。したがって、オーバーヘッドを最小化しながらブラインドディテクションを簡易に行える方法を考えなければならない。
【０００６】
制御メッセージがどのような大きさで構成されるか、及びいくつまでの制御メッセージを考慮すべきかによってブラインドディテクションの複雑性は変わる。もし、全ての制御メッセージの長さがそれぞれ異なると、複雑性はより増加する。したがって、制御メッセージの長さはいくつかに限定されるのが一般的である。例えば、３０ビット（ｂｉｔ）、６０ビット及び９０ビットの総３通りの大きさが制御メッセージの大きさとして許容されると、複雑性は減るようになる。このような大きさの基本単位を便宜上ＣＢ（Ｃｏｎｔｒｏｌ  Ｂｌｏｃｋ）と定義すると、上の例示では、１、２及び３ＣＢの３通りの大きさを持つ制御メッセージが存在できる（ただし、１ＣＢ＝３０ｂｉｔとする場合）。
【０００７】
しかし、制御メッセージの大きさがＣＢ単位に設定されるとしても、ブラインドディテクションの複雑性は非常に大きい。例えば、ブラインドディテクションにおいて、３種類のＣＢが存在し、総４個の制御メッセージが考慮されるべき場合、制御メッセージが１個の場合は３種類（ＣＢが１ＣＢ、２ＣＢあるいは３ＣＢ）のケースが存在し、制御メッセージが２個の場合は、３２種類のケースが存在し、制御メッセージが３個の場合は、３３種類のケースが存在し、制御メッセージが４個の場合は、３４のケースが存在する。
【０００８】
総１２０のケースが存在し、端末に上記のケースに関する情報がない場合、各端末は最大１２０回のディテクションを行ってこそ、該当の端末の制御メッセージが存在するか、そして存在するとすればいかなる情報を内包しているかがわかる。一般に、ＣＢの種類の個数をＮ、制御メッセージの最大個数をＭとすれば、ディテクションを行う最大回数はｓｕｍ（Ｎｍ）になる。このようなディテクションの実行回数はシステムの性能の劣化を招くので、ディテクションの実行回数を減らす方法を考慮しなければならない。
【０００９】
一方、周波数再使用（ｆｒｅｑｕｅｎｃｙ  ｒｅｕｓｅ）は、セルラーシステムにおいて単位面積当たりチャネル数を増加させる方法の一つである。電波の強度は、距離が遠くなるほど徐々に弱くなるため、一定距離以上離れた所では電波間の干渉が少なく、よって、同一の周波数チャネルが使われることができる。このような原理に着目し、加入者容量が大きく増加するように、同一の周波数を同時に多数の地域で使用することができる。このような周波数の効率的活用を周波数再使用という。地域を区分するための単位をセル（移動通信セル）といい、通話を維持するためのセル間の周波数チャネルの切替をハンドオフという。アナログセルラー移動通信方式では周波数再使用技術が必須である。周波数再使用率は、セルラーシステムで周波数効率を表すパラメータのうちの一つである。周波数再使用率は、多重セル構造で同時に同一の周波数を使用するセル（セクター）の総数を、多重セル構造全体のセル（セクター）の総数で割った値である。
【００１０】
１Ｇシステム（例えば、進化移動電話システム（Ａｄｖａｎｃｅｄ  Ｍｏｂｉｌｅ  Ｐｈｏｎｅ  Ｓｙｓｔｅｍ：ＡＭＰＳ））の周波数再使用率は１よりも小さい。例えば、７−セル周波数再使用において、周波数再使用率は１／７である。２Ｇシステム（例えば、コード分割多重接続（Ｃｏｄｅ  Ｄｉｖｉｓｉｏｎ  Ｍｕｌｔｉｐｌｅ  Ａｃｃｅｓｓ：ＣＤＭＡ）及び時分割多重接続（Ｔｉｍｅ  Ｄｉｖｉｓｉｏｎ  Ｍｕｌｔｉｐｌｅ  Ａｃｃｅｓｓ：ＴＤＭＡ））の周波数再使用率は、１Ｇに比べて向上した。例えば、周波数分割多重接続（Ｆｒｅｑｕｅｎｃｙ  Ｄｉｖｉｓｉｏｎ  Ｍｕｌｔｉｐｌｅ  Ａｃｃｅｓｓ：ＦＤＭＡ）とＴＤＭＡとが結合した、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎ）で周波数再使用率は１／４乃至１／３に達することができる。２Ｇ  ＣＤＭＡシステム及び３Ｇ  ＷＣＤＭＡシステムの場合、周波数再使用率は１に達することができ、スペクトラムの効率が増大し、ネットワーク配置コストが減少する。
【００１１】
一つのセルの全てのセクター、そして一つのネットワークの全てのセルが同一の周波数を使用する時、周波数再使用率１を得ることができる。しかし、セルラーネットワークで周波数再使用率１が得られるということは、セルの境界にあるユーザーの信号受信性能は、隣接するセルからの干渉により減少するということを意味する。
【００１２】
ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）システムでは、チャネルが副チャネル（ｓｕｂｃｈａｎｎｅｌ）単位に分離されいるから、副チャネル上で信号が伝送され、３Ｇ（ＣＤＭＡ  ２０００またはＷＣＤＭＡ）におけるように全てのチャネルが全部使われるわけではない。このような特徴から、セル中央にあるユーザーとセル境界（セルのエッジ）にあるユーザーの処理量（ｔｈｒｏｕｇｈｐｕｔ）が同時に向上することができる。具体的に、セルの中央領域は、基地局から近いから、隣接するセルからの同一チャネル干渉（ｃｏ−ｃｈａｎｎｅｌ  ｉｎｔｅｒｆｅｒｅｎｃｅ）から安全である。したがって、セルの中央にある内部ユーザーは、使用可能な全ての副チャネルを使用することができる。しかし、セルの境界にあるユーザーは、使用可能な全体副チャネルのうちの一部のみを使用することができる。互いに隣接するセルの境界で、各セルは異なる副チャネルを使用するように、周波数が割り当てられる。このような方式を部分周波数再使用（ＦＦＲ：ｆｒａｃｔｉｏｎａｌ  ｆｒｅｑｕｅｎｃｙ  ｒｅｕｓｅ）と呼ぶ。
【００１３】
セルラーシステムにＦＦＲが適用される場合、上に説明したブラインドディテクションが行われる時に考慮されるケースの数が増加すると、制御メッセージを確認するための複雑性及び時間が増加し、結果として端末の電力損失が発生する。したがって、オーバーヘッドを最小化しながらブラインドディテクションを簡易にさせる方法が要求されている。
【発明の概要】
【発明が解決しようとする課題】
【００１４】
本発明が解決しようとする課題は、オーバーヘッドを最小化しながらユーザー機器が基地局から受信した制御メッセージのブラインドディテクションを簡易に行える方法を提供することにある。
【課題を解決するための手段】
【００１５】
上記課題を解決するための本発明の一様相として、セルラーシステムで基地局がユーザー機器に制御メッセージを伝送する方法において、前記基地局が、アップリンクＡＣＫ／ＮＡＣＫ（Ａｃｋｎｏｗｌｅｄｇｍｅｎｔ／Ｎｅｇａｔｉｖｅ  Ａｃｋｎｏｗｌｅｄｇｍｅｎｔ）チャネルインデックスが制御メッセージで暗示的に使用されることが許容されるか否か、制御メッセージに対応するユーザー機器がアップリンクＡＣＫ／ＮＡＣＫチャネルインデックスを暗示的に使用できるか否か、制御メッセージの情報要素（Ｉｎｆｏｒｍａｔｉｏｎ  Ｅｌｅｍｅｎｔ；ＩＥ）の大きさ、制御メッセージが所定個数のサブブロック（ｓｕｂｂｌｏｃｋ）に分離されるか否か、制御メッセージに適用されるＭＣＳ（Ｍｏｄｕｌａｔｉｏｎ  ａｎｄ  Ｃｏｄｉｎｇ  Ｓｃｈｅｍｅ）レベル、ＭＣＳレベルが適用された後の制御メッセージの情報要素（ａｌｌｏｃａｔｅｄ  ＩＥ）の大きさ、制御メッセージの情報要素が存在する周波数領域（Ｆｒｅｑｕｅｎｃｙ  Ｐａｒｔｉｔｉｏｎ）のうちの少なくとも一つを基準（ｃｒｉｔｅｒｉａ）にして、少なくとも一つのユーザー機器に対する複数の制御メッセージをグループ化（ｇｒｏｕｐｉｎｇ）する段階と、前記グループ化された制御メッセージを伝送する段階と、を含み、前記グループ化により生成された各グループに含まれた制御メッセージは前記少なくとも一つの基準において同一である方法が提供される。
【００１６】
前記各グループは、論理的に連続する（ｌｏｇｉｃａｌｌｙ  ｃｏｎｔｉｇｕｏｕｓ）、あるいは物理的に連続する（ｐｈｙｓｉｃａｌｌｙ  ｃｏｎｔｉｇｕｏｕｓ）リソースユニット（Ｒｅｓｏｕｒｃｅ  Ｕｎｉｔ）を含むことができる。
【００１７】
前記各グループに含まれた制御メッセージの個数あるいはグループの大きさに関する情報がユーザー不特定（ｎｏｎ−ｕｓｅｒ  ｓｐｅｃｉｆｉｃ）制御メッセージを通じて伝送されることができる。
【００１８】
前記各グループにおいて、各グループに含まれた制御メッセージは、前記少なくとも一つの基準によって並べ替えて伝送されることができる。
【００１９】
前記システムに部分周波数再使用（Ｆｒａｃｔｉｏｎａｌ  Ｆｒｅｑｕｅｎｃｙ  Ｒｅｕｓｅ；ＦＦＲ）が適用され、前記複数の制御メッセージは、前記部分周波数再使用による少なくとも一つの周波数領域（Ｆｒｅｑｕｅｎｃｙ  Ｐａｒｔｉｔｉｏｎ：ＦＰ）に存在することができる。
【００２０】
前記少なくとも一つの周波数領域別に個別にＭＣＳレベルが設定されることができる。
【００２１】
前記少なくとも一つの周波数領域の全てに同一のＭＣＳレベルが設定されることができる。
【００２２】
前記制御メッセージは、あらかじめ決定されたＦＰにのみ存在することができる。
【００２３】
前記制御メッセージは、前記少なくとも一つの全てのＦＰに存在することができる。
（項目１）
セルラーシステムにおいて基地局がユーザー機器に制御メッセージを伝送する方法であって、
前記基地局は、アップリンクＡＣＫ／ＮＡＣＫ（Ａｃｋｎｏｗｌｅｄｇｍｅｎｔ／Ｎｅｇａｔｉｖｅ  Ａｃｋｎｏｗｌｅｄｇｍｅｎｔ）チャネルインデックスが制御メッセージで暗示的に使用されることが許容されるか否か、制御メッセージに対応するユーザー機器がアップリンクＡＣＫ／ＮＡＣＫチャネルインデックスを暗示的に使用できるか否か、制御メッセージの情報要素（Ｉｎｆｏｒｍａｔｉｏｎ  Ｅｌｅｍｅｎｔ；ＩＥ）の大きさ、制御メッセージが所定個数のサブブロック（ｓｕｂｂｌｏｃｋ）に分離（ｓｅｇｍｅｎｔ）されるか否か、制御メッセージに適用されるＭＣＳ（Ｍｏｄｕｌａｔｉｏｎ  ａｎｄ  Ｃｏｄｉｎｇ  Ｓｃｈｅｍｅ）レベル、ＭＣＳレベル適用後の制御メッセージの情報要素（ａｌｌｏｃａｔｅｄ  ＩＥ）の大きさ、制御メッセージの情報要素が存在する周波数領域（Ｆｒｅｑｕｅｎｃｙ  Ｐａｒｔｉｔｉｏｎ）のうちの少なくとも一つを基準（ｃｒｉｔｅｒｉａ）にして、少なくとも一つのユーザー機器に対する複数の制御メッセージをグループ化（ｇｒｏｕｐｉｎｇ）する段階と、
前記グループ化された制御メッセージを伝送する段階と、
を含み、
前記グループ化により生成された各グループに含まれた制御メッセージは、前記少なくとも一つの基準において同一である、制御メッセージ伝送方法。
（項目２）
前記各グループは、論理的に連続する（ｌｏｇｉｃａｌｌｙ  ｃｏｎｔｉｇｕｏｕｓ）、あるいは物理的に連続する（ｐｈｙｓｉｃａｌｌｙ  ｃｏｎｔｉｇｕｏｕｓ）リソースユニットを含む、項目１に記載の制御メッセージ伝送方法。
（項目３）
前記各グループに含まれた制御メッセージの個数あるいはグループの大きさに関する情報がユーザー不特定（ｎｏｎ−ｕｓｅｒ  ｓｐｅｃｉｆｉｃ）制御メッセージを通じて伝送される、項目１に記載の制御メッセージ伝送方法。
（項目４）
前記各グループにおいて各グループに含まれた制御メッセージは前記少なくとも一つの基準によって並べ替えて伝送される、項目１に記載の制御メッセージ伝送方法。
（項目５）
システムに部分周波数再使用（Ｆｒａｃｔｉｏｎａｌ  Ｆｒｅｑｕｅｎｃｙ  Ｒｅｕｓｅ；ＦＦＲ）が適用され、前記複数の制御メッセージは、前記部分周波数再使用による少なくとも一つの周波数領域（Ｆｒｅｑｕｅｎｃｙ  Ｐａｒｔｉｏｎｉｎｇ；ＦＰ）に存在する、項目１に記載の制御メッセージ伝送方法。
（項目６）
前記少なくとも一つの周波数領域別に個別にＭＣＳレベルが設定される、項目５に記載の制御メッセージ伝送方法。
（項目７）
前記少なくとも一つの周波数領域が全て同一のＭＣＳレベルに設定される、項目５に記載の制御メッセージ伝送方法。
（項目８）
前記制御メッセージは、あらかじめ決定された周波数領域にのみ存在する、項目５に記載の制御メッセージ伝送方法。
（項目９）
前記制御メッセージは、前記少なくとも一つの全ての周波数領域に存在する、項目５に記載の制御メッセージ伝送方法。
【発明の効果】
【００２４】
本発明によれば、制御メッセージを所定の規則に従って並べ替えて伝送し、制御メッセージを伝送する前に、制御メッセージの並べ替えパターンに関する情報をユーザーにあらかじめ知らせることによって、オーバーヘッドを最小化しながら制御メッセージのブラインドディテクションを簡易にさせることができる。したがって、制御メッセージを確認するための複雑性及び時間を減少させることができる。
【００２５】
本発明に関する以上の概略的説明及び以下の詳細な説明は例示に過ぎず、請求された発明の理解を助けるために提供されたものである。
【図面の簡単な説明】
【００２６】
本発明に関する理解を助けるために詳細な説明の一部として含まれる、添付の図面は、本発明の実施例を提供し、詳細な説明と共に本発明の技術的思想を説明する。
【図１】制御メッセージを伝送するための伝送リソースの構成図である。
【図２】制御メッセージ構成情報の生成例を示す図である。
【図３】本発明に係る制御メッセージの構成情報のパターンの一例を示す図である。
【図４】制御メッセージ構成情報の伝送有効ビット数を減らすための制御メッセージの構成情報の一例を示す図である。
【図５】本発明の一実施例による制御メッセージ並べ替えパターンを示す図である。
【図６】本発明の一実施例による制御メッセージ並べ替えパターンを示す図である。
【図７】本発明の一実施例による制御メッセージ並べ替えパターンを示す図である。
【図８】本発明の一実施例による制御メッセージ並べ替えパターンを示す図である。
【図９】本発明の一実施例による、ＦＦＲが適用された場合の制御メッセージ並べ替えパターンを示す図である。
【図１０】本発明の一実施例による、ＦＦＲが適用された場合の制御メッセージ並べ替えパターンを示す図である。
【図１１】本発明の一実施例による、ＦＦＲが適用された場合の制御メッセージ並べ替えパターンを示す図である。
【図１２】本発明の一実施例による、ＦＦＲが適用された場合の制御メッセージ並べ替えパターンを示す図である。
【図１３】本発明の一実施例による、ＦＦＲが適用された場合の制御メッセージ並べ替えパターンを示す図である。
【図１４】基地局とユーザー機器に適用可能であり、上記で説明した方法を実行できるデバイスの構成を示すブロック図である。
【発明を実施するための形態】
【００２７】
以下の実施例は、本発明の構成要素及び特徴を所定の形態として結合したものである。各構成要素または特徴は、別の明示的な言及がない限り、選択的なものとして考慮することができる。各構成要素または特徴は他の構成要素や特徴と結合しない形態とすることができる。また、一部の構成要素及び／または特徴を結合して本発明の実施例を構成することもできる。本発明の実施例で説明される動作の順序は変更可能である。ある実施例の一部構成や特徴は、他の実施例に含まれることもでき、他の実施例の対応する構成または特徴に取って代わることもできる。
【００２８】
図面に関する説明において、本発明の要旨を曖昧にさせるような手順または段階などは省略し、当業者のレベルで理解できる程度の手順または段階も省略するものとする。
【００２９】
以下の説明で使われる特定用語は、本発明の理解を助けるために提供されたもので、このような特定用語の使用は本発明の技術的思想を逸脱しない範囲で他の形態に変更可能である。
【００３０】
基地局が使用している全体帯域は、所定個数のサブ帯域に分割される。ＦＦＲ（Ｆｒａｃｔｉｏｎａｌ  Ｆｒｅｑｕｅｎｃｙ  Ｒｅｕｓｅ）が使用される場合、全体帯域は基地局によりあらかじめ分割されることもでき、制御メッセージ（ｃｏｎｔｒｏｌ  ｍｅｓｓａｇｅ）の伝送便宜のために分割されることもできる。したがって、全体帯域が分割されて生成されるサブ帯域の数は一つ以上と様々にすることができ、各サブ帯域は同一の大きさまたは異なる大きさにすることができる。端末がデータを受信するためのリソース領域がサブ帯域に割り当てられると、当該端末の制御メッセージは当該サブ帯域に存在する。
【００３１】
制御メッセージがいかなる大きさで構成されるか、または、いくつの制御メッセージが考慮されるべきかによって、ブラインドディテクション（ｂｌｉｎｄ  ｄｅｔｅｃｔｉｏｎ）の複雑性が変わる。もし、全ての制御メッセージの長さがそれぞれ異なると複雑性は増加する。このため、制御メッセージの大きさはいくつかに限定されるのが一般的である。例えば、３０ビット（ｂｉｔ）、６０ビット及び９０ビットの総３通りの大きさが制御メッセージの大きさとして許容されるとすれば、複雑性は多く減るようになる。このような大きさの基本単位を便宜上ＣＢ（Ｃｏｎｔｒｏｌ  Ｂｌｏｃｋ）と定義すると、例えば、１ＣＢ、２ＣＢ及び３ＣＢの３通りの大きさを持つ制御メッセージが存在することができる。
【００３２】
一方、上記リソース領域に割り当てられた制御メッセージを取り合わせた後、基地局は、それらの制御メッセージの大きさを降順に並べ替えて順次に伝送することができる。例えば、４個の制御メッセージがそれぞれ２ＣＢ、１ＣＢ、３ＣＢ、３ＣＢの大きさとなっていると、これら４個の制御メッセージは３ＣＢ、３ＣＢ、２ＣＢ、１ＣＢの順に並べ替えて伝送される。
【００３３】
図１は、制御メッセージを伝送するための伝送リソースの構成図である。図１に示すように、便宜上、制御メッセージの大きさはＣＢの整数倍（例えば、１ＣＢ、２ＣＢ、３ＣＢなど）とし、最大の制御メッセージの大きさをＮＣＢとする。また、分割された帯域内で総ＭＣＢ大きさを持つリソースが制御メッセージの伝送のために割り当てられうるとする。
【００３４】
したがって、全てのメッセージの大きさが１ＣＢである場合、最大Ｍ個の制御メッセージが当該分割された帯域で伝送されることができる。制御メッセージの伝送のために、１乃至ＮＣＢ大きさの制御メッセージが結合して、ＭＣＢの大きさを持つリソースが割り当てられた帯域で伝送される場合、様々な組み合わせ（ｃｏｍｂｉｎａｔｉｏｎ）が存在する。これに対し、制御メッセージが降順に並べ替えて基地局から伝送される場合、その場合の数は制約的であり、そのパターンも制約的である。
【００３５】
分割された領域内における最大の制御メッセージの大きさが１ＣＢ乃至ＮＣＢであるケースがそれぞれ考えられる。もし、最大の制御メッセージの大きさがｎ（１≦ｎ≦Ｎ）ＣＢであるとすれば、実際には１乃至ｎ  ＣＢ大きさの制御メッセージが存在することができ、これら１乃至ｎ  ＣＢ大きさの制御メッセージは降順に並べ替えて伝送される。本発明では、制御メッセージが並べ替えられたパターンに関する情報を制御メッセージ構成情報と称する。基地局は、制御メッセージを伝送する前に制御メッセージ構成情報をあらかじめ伝送する。
【００３６】
以下、本発明の第１実施例による制御メッセージ構成情報の構成方法について説明する。
【００３７】
ここで、制御メッセージ構成情報を形成するために、ＭＣＢ大きさの分割領域全体に制御メッセージ情報が存在すると仮定する。すなわち、全ての制御メッセージの大きさがＭＣＢよりも小さい場合、残り部分には１ＣＢの制御メッセージが存在すると仮定する。図２は、制御メッセージ構成情報の生成例を示す図である。例えば、Ｍ＝１２、ｎ＝３であり、３ＣＢ及び２ＣＢ大きさの制御メッセージがそれぞれ１個ずつ存在する場合に対する構成情報生成例は、図２に示す通りである。
【００３８】
表１は、最大の制御メッセージの大きさがｎの時、ＣＢ大きさの組み合わせを示している。
【００３９】
【表１】
0005268204.tif 000002
上記の表１に開示された組み合わせにマッチングされる構成情報の種類の数はＭ値によって様々に存在する。図３は、本発明による制御メッセージの構成情報のパターンの一例を示す図である。便宜上、Ｍ＝１２、ｎ＝３とする場合、（３，２，１）の組み合わせ（これは、１ＣＢ、２ＣＢ及び３ＣＢ大きさの制御メッセージからなる制御メッセージ構成情報を示す。）を取り上げると、図３に示すようなパターンが存在する。
【００４０】
図３に示された構成情報はいずれも（３，２，１）の組み合わせによって形成されるが、１ＣＢ、２ＣＢ、３ＣＢがそれぞれいくつずつ存在するかはＭ値に依存する。説明の便宜のために、当該組み合わせにおいて、最小大きさのＣＢの次に大きいＣＢを次下位ＣＢと定義し、次下位ＣＢの次に大きいＣＢを次々下位ＣＢと定義する。次々下位ＣＢよりも大きい大きさのＣＢが存在する場合、ＣＢは上記規則によって定義される。
【００４１】
例えば、［３，２，１，１，１，１，１，１，１］の組み合わせを考慮すれば、各数字はＣＢの大きさを表し、最小大きさのＣＢは１ＣＢであり、次下位ＣＢは１ＣＢの次に大きい２ＣＢであり、次々下位ＣＢは、２ＣＢの次に大きい３ＣＢである。
【００４２】
同一のＣＢ組み合わせにより構成情報を生成する方法は、最小大きさのＣＢを除く残りのＣＢを各１個と設定し、最小大きさのＣＢで残りの領域を満たした後（例えば、［３，２，１，１，１，１，１，１，１］）、次下位ＣＢの個数（例えば、２ＣＢの個数）を増加させることができる（例えば、［３，２，２，１，１，１，１，１］、［３，２，２，２，１，１，１］、［３，２，２，１］）。
【００４３】
このような過程を次々下位ＣＢの個数（例えば、３ＣＢの個数）を１個ずつ次第に増加させた後、引き続き反復する。
【００４４】
すなわち、次々下位ＣＢの大きさ（例えば、３ＣＢ）が２個存在して［３，３，２，１，１，１，１］になり、次下位ＣＢ（２ＣＢ）の数が次々と増加して［３，３，２，２，１，１］になった後、次々下位ＣＢの大きさ（３ＣＢ）が３個存在して［３，３，３，２，１］になる。このような過程を行う中でＭ値によって特定のＣＢ組み合わせは現れないこともある。
【００４５】
もし、Ｍ値が１６であると、ＣＢ組み合わせ（３）の場合は発生しなくなる。３ＣＢが５個存在すると、残り１個は必ず１ＣＢで満たされるため、ＣＢ組み合わせ（３）の場合は（３，１）組み合わせに含まれるようになる。したがって、上に羅列した最大の制御メッセージの大きさがｎの場合、その構成情報を形成しているＣＢ大きさの組み合わせはＭ値によって一部が除外されることがある。
【００４６】
このような方法で、Ｎ及びＭ値によって、上の説明に準じて形成された各種パターンが構成情報として活用される。
【００４７】
もし、５個の制御メッセージの大きさがそれぞれ３ＣＢ、１ＣＢ、２ＣＢ、１ＣＢ、３ＣＢであれば、これらに対する降順並べ替えは［３，３，２，１，１］になる。基地局はこのような順序で制御メッセージを並べ替えて伝送する。この時、［３，３，２，１，１，１，１］のパターン情報が構成情報として指示されると、端末は制御メッセージを順次に３ＣＢ、３ＣＢ、２ＣＢ、１ＣＢ、１ＣＢ、１ＣＢ、１ＣＢの単位にデコーディング（ｄｅｃｏｄｉｎｇ）して、自身の制御メッセージが存在するか確認する。各端末は基地局からいかなるフォーマットで制御メッセージを伝送するかを知っているため、制御メッセージの大きさによるデコーディングの複雑度か減少する。また、変調及びコーディング方式によって大きい大きさの制御メッセージが生成される確率が高いため、復調及びデコーディングの複雑度も当該方法によって減ることができる。
【００４８】
実施例１
制御メッセージのために総１６ＣＢが、全体帯域が分割されて生成されたサブ帯域に割り当てられ、制御メッセージが１ＣＢ乃至３ＣＢの大きさまで許容されるとすれば、総３種類の構成情報が下記の表２のように構成されることができる。基地局は総５ビット（ｂｉｔ）で形成されたインデックス（ｉｎｄｅｘ）情報を各端末に知らせればいい。
【００４９】
【表２】
0005268204.tif 000003
システムにおいて、一回に伝送されうる制御メッセージの最大個数が限定されることもある。このために、表１のパターンのそれぞれから一回に伝送されうる最大個数だけを分離してパターンを再構成し、再構成されたパターンにおいて同一のパターンは除去することによって、表１の構成情報を再構成することができる。
【００５０】
例えば、実施例１において最大制御メッセージの数が６に制限される場合、これに該当するパターン及びインデックスは、表２の結果を再構成して得ることができる。下記の表３は、制御メッセージの最大個数が６に制限される場合、表２の結果を再構成して得られる制御メッセージ構成情報を表にしたものである。すなわち、表２の各制御メッセージのパターンにおいて左側から順に６個の制御メッセージが選択され、各パターンが再構成され、再構成された各パターンに新しいインデックスが付与される。 
【００５１】
【表３】
0005268204.tif 000004
表３に示すように、制御メッセージの最大個数が６個に制限される場合、重複するパターンが存在するから、３０個のインデックスから２６個のインデックスと、インデックスの総個数が減少することができる。
【００５２】
表３に示すパターンは伝送有効ビット数を減らすために一部が結合することもできる。例えば、パターン［３，３，３，２，２，２，１］及びパターン［３，３，３，２，２，１，１，１］はそれぞれ、パターン［３，３，３，２，２，ｂ，１］に取り替えることができる。すなわち、パターン［３，３，３，２，２，２，１］で下線部分とパターン［３，３，３，２，２，１，１，１］で下線部分をｂに取り替えた［３，３，３，２，２，ｂ，１］の形態として指示することもできる。
【００５３】
図４は、制御メッセージ構成情報の伝送有効ビット数を減らすための制御メッセージの構成情報の一例を示す図である。図４に示すように、ｂは１または２の大きさになっていることを意味するから、端末は、この部分を２ＣＢと１ＣＢの大きさにそれぞれデコーディングしてみなければならないという面倒さがある。しかし、このような原理を用いて全体パターンを組み合わせる作業を行うと、インデックスの総個数を減少させることができる。
【００５４】
このような原理を拡張して全体パターンの特定部分を‘ｂ’に取り替えることも可能である。例えば、パターン［３，３，３，２，２，２，１］とパターン［３，３，３，２，２，１，１，１］は、［３，３，３，２，ｂ，１］に取り替えることができる。すなわち、パターン［３，３，３，２，２，２，１］とパターン［３，３，３，２，２，１，１，１」は、下線部分が‘ｂ’に置き換えて［３，３，３，２，ｂ，１］とすることがてきる。この場合、‘ｂ'部分を確認するために、‘２，２'、‘２，１，１'及び‘１，１，１，１'の３回のデコーディングを行わなければならない。したがって、パターン［３，３，３，２，１，１，１，１，１］も同一の集合として考慮することができる。‘ｂ'で表示された部分に対していくつのＣＢを考慮すべきかがシステムで事前に決定されていたり、または、‘ｂ'で表示された部分に対していくつのＣＢを考慮すべきかが基地局により端末に通知されることによって、総インデックス数を減らすことができる。
【００５５】
このような原理で形成される構成情報の使用において、制御メッセージを伝送する前に制御メッセージの個数を端末にまず知らせ、再構成される構成情報によってインデクシングを行う方法も用いることができる。
【００５６】
以上では全体帯域がいくつかのサブ帯域に分割され、制御メッセージが割り当てられたサブ帯域を通じて伝送される場合について説明したが、制御メッセージが必ずしもサブ帯域別に構成されるとは限らない。すなわち、実際帯域はＦＦＲなどの理由からいくつかのサブ帯域に分割されているとしても、制御メッセージはこれによらずに伝送されることもできる。この場合、制御メッセージを信頼性高く伝送するためにパワーブースティング（ｐｏｗｅｒ  ｂｏｏｓｔｉｎｇ）を考慮することができる。パワーブースティングはＦＦＲに非常に適合する。ここで、構成情報の生成原理は、サブ帯域の大きさＭ値及び制御メッセージ数が全体帯域で考慮される点以外は、上の説明におけると同様である。
【００５７】
一方、制御メッセージ構成情報に加えて、下記のような付加的なメッセージを必要とする場合もある。
【００５８】
・全体帯域がＫ個のサブ帯域に分割されるとすれば、分割された各サブ帯域内に制御メッセージが存在するか否かに関する情報：
例えば、ビットマップ（ｂｉｔｍａｐ）形式で当該情報が伝送されることが可能である。もし、全体帯域が３個に分割されると、｛ｂ１，ｂ２，ｂ３｝のように３ビットからなるビットマップが使用されることができる。この場合、各ビットｂ１、ｂ２、ｂ３はそれぞれ３個のサブ帯域を順に表す。ビットマップの各ビットは、例えば、対応するサブバンドに制御メッセージが存在する場合には‘１'の値を有し、存在しない場合には‘０'の値を有するように定められることができる。例えば、最初のサブ帯域にのみ制御メッセージが存在する場合には｛ｂ１，ｂ２，ｂ３｝＝｛１，０，０｝になる。
【００５９】
・帯域情報：
総制御メッセージ数
サブ帯域で許容されうる最大制御メッセージ数（Ｍ値）
最大制御メッセージ数
各サブ帯域における制御メッセージ数
ＩＥＥＥ  ８０２．１６ｍ標準で進行されるＵＳＣＣＨ（Ｕｎｉｃａｓｔ  Ｓｅｒｖｉｃｅ  Ｃｏｎｔｒｏｌ  Ｃｈａｎｎｅｌ）の伝送に本内容を適用することができる。ＵＳＣＣＨは、ユーザー特定制御情報（Ｕｓｅｒ−Ｓｐｅｃｉｆｉｃ  Ｃｏｎｔｒｏｌ  Ｉｎｆｏｒｍａｔｉｏｎ；ＵＳＣＩ）とユーザー不特定制御情報（Ｎｏｎ  Ｕｓｅｒ−Ｓｐｅｃｉｆｉｃ  Ｃｏｎｔｒｏｌ  Ｉｎｆｏｒｍａｔｉｏｎ；ＮＵＳＣＩ）とに区別される。この時、ＵＳＣＩが伝送される時、各ＵＳＣＩは個別にコーディング（ｓｅｐａｒａｔｅ  ｃｏｄｉｎｇ）されている。このようなＵＳＣＩが伝送される際にいかなる情報もないと、端末はブラインドディテクションを行わなければならない。この場合、基地局は、ＮＵＳＣＩまたはＢＣＨ（ｂｒｏａｄｃａｓｔ  ｃｈａｎｎｅｌ）を用いて、上記の構成情報を伝送する。そして、基地局は該ＵＳＣＩをその大きさによって降順に並べ替えて伝送する。
【００６０】
以上では構成情報を降順に並べ替えるとして説明したが、本発明は、昇順で構成情報を並べ替える場合にも同一に適用することができる。
【００６１】
以下、本発明の第２実施例による制御メッセージの構成方法について説明する。
【００６２】
ＭＣＢ大きさの帯域に１ＣＢ乃至ＮＣＢ大きさの制御メッセージが非常に様々なケースとして存在する。しかし、本発明の基地局は、制御メッセージを大きさによって降順に並べ替えて伝送するので、可能なケースの数は制約的であり、そのパターンも制限的である。したがって、本発明は、制御メッセージを降順に並べ替え、制御メッセージの大きさによってグループ（ｇｒｏｕｐ）を生成することを提案する。例えば、制御メッセージを変調（ｍｏｄｕｌａｔｉｏｎ）及び／またはコーディングした後、１ＣＢ大きさの制御メッセージをＧｒｏｕｐ  １にグルーピングし、２ＣＢの制御メッセージをＧｒｏｕｐ  ２にグルーピングすることができる。したがって、制御メッセージの大きさの種類の数だけのグループが形成されるようになる。制御メッセージの大きさの和をＭ以下に維持しながら、可能な全てのグループの個数が考慮されることができる。
【００６３】
実施例２ 
下記の表４は、システムのＭ値が５であり、１ＣＢ、２ＣＢ、４ＣＢが制御メッセージの大きさとして許容される場合における構成情報形成の一例である。表４で、Ｇｒｏｕｐ  １は、１ＣＢ大きさの制御メッセージのグループであり、Ｇｒｏｕｐ  ２は、２ＣＢ大きさの制御メッセージのグループであり、Ｇｒｏｕｐ  ３は、４ＣＢ大きさの制御メッセージのグループを表す。
【００６４】
【表４】
0005268204.tif 000005
表４からわかるように、任意のインデックスに該当する総制御メッセージの大きさは、Ｍ（本実施例では５）より小さいまたは等しい。上に例示したように、Ｇｒｏｕｐ  １からＧｒｏｕｐ  ３は、その値が降順あるいは昇順に並べ替えられるように順に連結されることができる。その他の様々な方法、例えば、総制御メッセージが占める大きさの順序（昇順または降順）なども考慮することができる。
【００６５】
実施例３ 
下記の表５は、表４を用いて総制御メッセージが占める大きさによって並べ替えられた制御メッセージ並べ替えパターンの構成を示すものである。表５で、Ｇｒｏｕｐ  １は１ＣＢ大きさの制御メッセージのグループを、Ｇｒｏｕｐ  ２は２ＣＢ大きさの制御メッセージのグループを、Ｇｒｏｕｐ  ３は４ＣＢ大きさの制御メッセージのグループを表す。また、表５で、Ｇｒｏｕｐ  １、Ｇｒｏｕｐ  ２、Ｇｒｏｕｐ  ３は、Ｇ１、Ｇ２、Ｇ３でそれぞれ表示される。そして、各グループの括弧中の値は、そのグループに属する制御メッセージの個数を表す。
【００６６】
【表５】
0005268204.tif 000006
実施例１における１３個の種類（表３のインデックス１〜１３）は、上記表５に全部示されている。したがって、制御メッセージ構成を知らせるためのインデックスを、表５における制御メッセージの総大きさ及びインデックス２の値を参照して順次に生成することができる。
【００６７】
実施例４
一方、本発明の他の実施例によれば、伝送されるインデックスの有効ビット数を減らすために、総制御メッセージの和の大きさがＭとなるように維持しながら、特定Ｇｒｏｕｐ  ｎを除外したグループ別全ての可能な組み合わせを考慮することができる。この除外されたＧｒｏｕｐ  ｎに該当する制御メッセージは、ブラインドデコーディング（ｂｌｉｎｄ  ｄｅｃｏｄｉｎｇ）に含まれることができる。例えば、ｎ＝１の場合、端末はＧｒｏｕｐ  １（１ＣＢ大きさのグループ）に含まれた制御メッセージに対してブラインドデコーディングを行うことができる。下記の表６は、Ｇｒｏｕｐ１を除外した制御メッセージ並べ替えパターンの構成を示している。
【００６８】
【表６】
0005268204.tif 000007
すなわち、表６で、インデックス１は、２ＣＢ大きさの制御メッセージが１個存在し、４ＣＢ大きさの制御メッセージが０個存在し、１ＣＢ大きさの制御メッセージは０乃至３個のうちのいずれかの個数が存在することを意味する。もし、基地局が制御メッセージを大きさ順に並べ替えて伝送するとすれば、Ｇｒｏｕｐ３、Ｇｒｏｕｐ２がまずデコーディングされた後、残った制御メッセージが総制御メッセージ大きさ（Ｍ）まで１ＣＢ単位にブラインドデコーディングされる。
【００６９】
一方、１ＣＢ単位にブラインドデコーディングに対する複雑性を減らすために基地局はインデックスに加えて下記のような情報をさらに伝送することができる。
【００７０】
・Ｇｒｏｕｐ  １に含まれている制御メッセージ数またはＧｒｏｕｐ  １の総大きさ
・各Ｇｒｏｕｐ内に存在する制御メッセージの総個数または実際に制御メッセージが占めている領域（Ｇｒｏｕｐ  １〜３）の総大きさ（例：ＣＢあるいはＲＵ（Ｒｅｓｏｕｒｃｅ  Ｕｎｉｔ）大きさ）
このような原理で形成される構成情報の使用において、制御メッセージを伝送する前に制御メッセージ数または使用されたリソースの大きさ（例えば、ＣＢ数またはＲＵ数）を端末に知らせ、インデクシングを行う方法は、現在構成された制御メッセージの総個数またはその大きさをあらかじめ端末に知らせることによって、端末が行うべき追加的なブラインドディテクションを軽減することができる。
【００７１】
一方、制御メッセージの総個数またはその大きさなどは、システムの状況によって変わることがある。例えば、Ｍ値は、システムの帯域幅（ｂａｎｄｗｉｄｔｈ）またはシステムで端末に伝送しなければならない制御メッセージの数の増加などといった理由から変更されることがある。以上に述べた方法は、Ｍ値が変化する際に全ての場合の数を考慮しているから、異なるＭ値（Ｍ１＜Ｍ２）に対して、Ｍ１の考慮された全ての場合の数は、Ｍ２の考慮された全ての場合の数に対する部分集合となる。したがって、システムが許容する最大のＭ値に対する表を作成した後、Ｍの変化によってそれを再構成して使用する方法が考えられる。
【００７２】
例えば、実施例２で、Ｍ＝５であり、表４全体の値（制御メッセージの総大きさ１ＣＢ乃至５ＣＢ）が利用される場合、Ｍ値が４に変化すると、制御メッセージの総大きさを１ＣＢ乃至４ＣＢのみを考慮してインデックスを再構成することができる。
【００７３】
一方、このような事項は、インデックスの有効ビット数を減少させるために特定Ｇｒｏｕｐがブラインドデコーディングされる例にも適用される。実施例３のようにｎ＝１、すなわちＧｒｏｕｐ  １（１ＣＢ大きさグループ）がブラインドデコーディングされる場合を考慮すると、下記の表７が得られる。
【００７４】
【表７】
0005268204.tif 000008
システムで要求されるＭ値が全ての端末に伝送される場合（例えば、放送チャネル（ｂｒｏａｄｃａｓｔ  ｃｈａｎｎｅｌ）などを用いて）、当該Ｍ値に相応する制御メッセージの構成情報であるインデックス２が使用される。
【００７５】
表６を用いるもう一つの方法として、もし、現在フレームで構成された制御メッセージの総数がＮ（０≦Ｎ≦Ｍ）である場合、表６でＭ値に代わりＮ値を用いて該当の帯域を決定し、それに相応するインデックス２を用いて構成情報を通知することができる。下記の表８は、現在フレームで構成された制御メッセージの総数がＮの時に構成される構成情報を示すものである。
【００７６】
【表８】
0005268204.tif 000009
すなわち、もし、Ｎ値が５であり、インデックス２が１の場合、構成情報はＧ１(０〜３)、Ｇ２(１)、Ｇ３(０)であることを意味するが、Ｎ値が３であり、インデックス２が１の場合の構成情報は、Ｇ１(０〜１)、Ｇ２(１)、Ｇ３(０)であることを意味する。このとき、Ｎ値が５の場合にインデックス２を表示するためには２ビットが必要であるが、Ｎが３の場合にインデックス２を表示するためには１ビットのみ必要になる。すなわち、Ｎ値が設定されることによって、インデックス２を表示するための有効ビット数は表８を用いて自動で定められるので、構成情報を示すために必要なビット数が減少する。
【００７７】
一方、表７は表５から生成されることができる。
【００７８】
Ｇｒｏｕｐ  １は、ブラインドデコーディングの対象であるから、表５でＧｒｏｕｐ  １の内容が変更されて適用されることがわかる。したがって、システムが実施例２のように全体場合の数を考慮して伝送を行う場合と、実施例３のように特定Ｇｒｏｕｐがブラインドデコーディングの対象である場合に対して、同一の表を利用可能になる。
【００７９】
一方、全体可能な場合の数を考慮する場合と、一部のＧｒｏｕｐをブラインドデコーディングに含める場合、システムは、このような構成情報の特徴を全体端末にＢＣＨ（Ｂｒｏａｄｃａｓｔ  Ｃｈａｎｎｅｌ）またはＮＵＳＣＩ（Ｎｏｎ−Ｕｓｅｒ  Ｓｐｅｃｉｆｉｃ  Ｃｏｎｔｒｏｌ  Ｉｎｆｏｒｍａｔｉｏｎ）等で通知することができる。このような場合、表４または表６のような構成は非常に效率的に使用されることができる。
【００８０】
一方、上記の全ての方法において、制御メッセージが存在しないケースに該当するインデックスは省略可能である。例えば、実施例１乃至実施例３で、Ｇｒｏｕｐ  １乃至Ｇｒｏｕｐ  ３の制御メッセージの数がいずれも０の場合、各Ｇｒｏｕｐ内に存在する制御メッセージの総個数が知られるとそれに相応するインデックスは不要になる。
【００８１】
ＩＥＥＥ  ８０２．１６ｍ標準で進行されるＵＳＣＣＨ（Ｕｎｉｃａｓｔ  Ｓｅｒｖｉｃｅ  Ｃｏｎｔｒｏｌ  Ｃｈａｎｎｅｌｓ）の伝送に本発明が適用されることができる。ＵＳＣＣＨは、ＵＳＣＩ（Ｕｓｅｒ−Ｓｐｅｃｉｆｉｃ  Ｃｏｎｔｒｏｌ  Ｉｎｆｏｒｍａｔｉｏｎ）とＮＵＳＣＩ（Ｎｏｎ  Ｕｓｅｒ−Ｓｐｅｃｉｆｉｃ  Ｃｏｎｔｒｏｌ  Ｉｎｆｏｒｍａｔｉｏｎ）とに区別される。この場合、各ＵＳＣＩは個別にコーディング（ｓｅｐａｒａｔｅ  ｃｏｄｉｎｇ）されて伝送される。このようなＵＳＣＩの伝送に関するいかなる情報もないと、端末はブラインドディテクションを行わなければならない。この場合、基地局はＮＵＳＣＩあるいはＢＣＨ（ｂｒｏａｄｃａｓｔ  ｃｈａｎｎｅｌ）を用いて前述した構成情報を伝送する。基地局はＵＳＣＩをその大きさ別に降順に並べ替えて伝送する。
【００８２】
本発明で構成情報が降順に並べ替えられるとして説明したが、本発明は、構成情報が昇順に並べ替えられる場合にも同一に適用されることができる。
【００８３】
実施例５
Ｍ値は、システムの構成によって実際に異なることがある。下記の表９は、システムに構成されうる様々なＭ値によるインデックスを示すものである。ここで、Ｇ１、Ｇ２、Ｇ３、Ｇ４、Ｇ５はそれぞれ、制御メッセージの大きさが１ＣＢ、２ＣＢ、４ＣＢ、８ＣＢ及び１６ＣＢである場合を示す。端末は、Ｇｒｏｕｐ  ２が終わる時点からＭＣＢの範囲内でブラインドディテクションを行うから、Ｇｒｏｕｐ  １は省略しても良い。
【００８４】
【表９−１】
0005268204.tif 000010
【００８５】
【表９−２】
0005268204.tif 000011
一方、表９で、インデックス０においてＧｒｏｕｐ１はＧ１(０〜Ｍ)で表示される。現在伝送される制御メッセージの数（あるいは制御メッセージの総大きさ）を別途に伝送するとすれば、インデックス０に現れたＧｒｏｕｐ  １のＧ１(０〜Ｍ)はＧ１(１〜Ｍ)のように表現されることができる。これは、制御メッセージの数（あるいは、制御メッセージの総大きさ）が０の場合、いかなる制御メッセージも送る必要がないということを意味するからである。実施例４で表７を表８に変換して得られた構成表がそのまま用いられることができる。すなわち、Ｍ値に代わりＮ値を考慮して、現在構成された総制御メッセージの数に基づいてインデックスが生成されることができる。
【００８６】
上記のようなグループ設定方法は、大きさによる方法の他にも、下記のような様々な方法を含むことができる。
【００８７】
ダウンリンク制御メッセージは実際に伝送されるために変調及びコーディングされる。この時、ＭＣＳ（Ｍｏｄｕｌａｔｉｏｎ  ａｎｄ  Ｃｏｄｉｎｇ  Ｓｃｈｅｍｅ）を適用するために、該ダウンリンク制御メッセージはいくつかのサブブロック（ｓｕｂｂｌｏｃｋ）に分離（ｓｅｇｍｅｎｔ）されることもできる。このダウンリンク制御メッセージを、便宜上、ダウンリンク制御メッセージＩＥ（Ｉｎｆｏｒｍａｔｉｏｎ  Ｅｌｅｍｅｎｔ）と称し、分離されたサブブロック（ｓｕｂｂｌｏｃｋ）を拡張ＩＥ（ｅｘｔｅｎｄｅｄ  ＩＥ）と称し、ＭＣＳが適用された後に実際に伝送される制御信号を割当（ａｌｌｏｃａｔｅｄ）ＩＥと称するものとする。また、割当ＩＥの基本大きさ単位はＭＬＲＵ（Ｍｉｎｉｍｕｍ  Ａ−ＭＡＰ  Ｌｏｇｉｃａｌ  Ｒｅｓｏｕｒｃｅ  Ｕｎｉｔ）と称するものとする。制御メッセージは特定目的によってグループ化して伝送され、そのグループ化に関する情報が伝送される。例えば、ダウンリンク／アップリンク基本割当ＩＥ（ＤＬ／ＵＬ  ｂａｓｉｃ  ａｓｓｉｇｎｍｅｎｔ  ＩＥ）、アップリンク基本割当ＩＥ（ＵＬ  ｂａｓｉｃ  ａｓｓｉｇｎｍｅｎｔ  ＩＥ）、ダウンリンク／アップリンクグループリソース割当ＩＥ（ＤＬ／ＵＬ  ｇｒｏｕｐ  ｒｅｓｏｕｒｃｅ  ａｌｌｏｃａｔｉｏｎ  ＩＥ）、ダウンリンク／アップリンク持続的ＩＥ（ＤＬ／ＵＬ  ｐｅｒｓｉｓｔｅｎｔ  ＩＥ）などがダウンリンク制御メッセージＩＥになりうる。
【００８８】
下記のケースをグループ化方法の例として考慮することができる。
【００８９】
第一のケースは、制御メッセージがアップリンクＡＣＫ／ＮＡＣＫチャネルインデックスが暗示的に使用されうる制御メッセージと、そうでない除外メッセージとに区別されるようにグループ化を行う。例えば、制御メッセージは、ダウンリンク基本割当ＩＥで構成されるグループ１と、他のタイプのＩＥで構成されるグループ２とにグループ化できる。
【００９０】
第二のケースは、制御メッセージがアップリンクＡＣＫ／ＮＡＣＫチャネルインデックスを暗示的に使用できるユーザーの制御メッセージと、そうでない制御メッセージとに区別されるようにグループ化を行う。例えば、制御メッセージは、ダウンリンク／アップリンク基本割当ＩＥで構成されるグループ１と、他のタイプのＩＥで構成されるグループ２とにグループ化できる。この場合、一人のユーザーの制御メッセージＩＥは連続して伝送されることができる。
【００９１】
上記の第一のケースと第二のケースで、ＡＣＫ／ＮＡＣＫチャネルインデックスを“暗示的”に使用する方法の例は、制御メッセージの順序をＡＣＫ／ＮＡＣＫチャネルインデックスとして使用する方法を含む。すなわち、このようなグループ化方法が利用される場合、ＡＣＫ／ＮＡＣＫチャネルインデックスのための付加的なシグナリングを行わずに済む。
【００９２】
第三のケースは、制御メッセージを制御メッセージＩＥの大きさによってグループ化する。例えば、制御メッセージは、大きさが５６ビットである制御メッセージで構成されるグループ１と、大きさ９０ビットの制御メッセージで構成されるグループ２とにグループ化できる。
【００９３】
第四のケースは、拡張ＩＥと非拡張（ｎｏｎ−ｅｘｔｅｎｄｅｄ）ＩＥによってグループ化を行う。すなわち、制御メッセージは、拡張ＩＥで構成されるグループ１と、他のタイプのＩＥ（例えば、基本ＩＥ）で構成されるグループ２とにグループ化できる。ここで、拡張ＩＥとは、上述した通り、本来の制御メッセージの情報量がシステムで許容する基本的な制御メッセージの長さを超える場合、本来の制御メッセージを複数個に分離して生成されたサブブロックのことをいう。この場合、複数個のサブブロックは連続して伝送されることができる。
【００９４】
第五のケースは、ＭＣＳレベルによってグループ化を行う。例えば、制御メッセージは、ＭＣＳレベルがＱＰＳＫ（Ｑｕａｄｒａｔｕｒｅ  Ｐｈａｓｅ  Ｓｈｉｆｔ  Ｋｅｙｉｎｇ）１／２である制御メッセージで構成されるグループ１と、ＭＣＳレベルがＱＰＳＫ１／８である制御メッセージで構成されるグループ２とにグループ化できる。
【００９５】
第六のケースは、割当ＩＥの大きさによってグループ化を行う。例えば、制御メッセージは、２ＭＬＲＵで構成されるグループ１と４ＭＬＲＵで構成されるグループ２とにグループ化できる。ここで、割当ＩＥとは、上述した通り、制御メッセージにＭＣＳが適用された後に、実際にリソース領域に割り当てられたＩＥのことを意味する。
【００９６】
第七のケースは、上記のケース１乃至ケース６によるグループ化方法を互いに結合して使用する。例えば、制御メッセージが第三のケースによってグループ化された後、第五のケースが、第三のケースによって生成されたグループに適用されることができる。例えば、制御メッセージは、大きさが５６ビットであり、ＭＣＳレベルがＱＰＳＫ１／２である制御メッセージで構成されるグループ１と、大きさが５６ビットであり、ＭＣＳレベルがＱＰＳＫ１／８である制御メッセージで構成されるグループ２と、大きさが９０ビットであり、ＭＣＳレベルがＱＰＳＫ１／２である制御メッセージで構成されるグループ３と、大きさが９０ビットであり、ＭＣＳレベルがＱＰＳＫ１／２である制御メッセージで構成されるグループ４と、にグループ化できる。
【００９７】
上に記述されたグループの数は場合によって変わることができ、その目的も、上記の方法における以外にも様々なものが存在できる。
【００９８】
実施例６ 
グループ化方法は、大きさの他にも、ＭＣＳ（Ｍｏｄｕｌａｔｉｏｎ  ａｎｄ  Ｃｏｄｉｎｇ  Ｓｃｈｅｍｅ）レベルによって行われることができる。すなわち、制御メッセージのＭＣＳレベルによってグループ化を行い、各グループ別制御メッセージの個数を端末に知らせることで、ブラインドディテクションが行なわれることができる。
【００９９】
例えば、制御メッセージがＱＰＳＫ（Ｑｕａｄｒａｔｕｒｅ  Ｐｈａｓｅ  Ｓｈｉｆｔ  Ｋｅｙｉｎｇ）１／１６（ＭＣＳ４）、ＱＰＳＫ１／８（ＭＣＳ３）、ＱＰＳＫ１／４（ＭＣＳ２）及びＱＰＳＫ１／２（ＭＣＳ１）に変復調コーディングされうる場合、前述した方法により、各ＭＣＳレベル別にいくつの制御メッセージが存在するかを示す構成情報を用いたインデックスが生成されて伝送される。
【０１００】
一方、基地局が制御メッセージの大きさによる構成情報を伝送する場合、該基地局は、大きさによって区分された各グループにおいてＭＣＳレベル別に並べ替えて（ＭＣＳ１からＭＣＳ４の順に並べ替えたり、または、ＭＣＳ４からＭＣＳ１の順に並べ替えて）伝送することによって、ブラインドディテクションをより簡易にさせることができる。一方、ＭＣＳレベル別にグループを構成した場合は、グループ内において大きさ別に並べ替えられて（降順あるいは昇順に並べ替えられて）伝送されることによって、ブラインドディテクションをより簡易にさせることができる。
【０１０１】
一方、グループ別伝送において、実際グループ別制御メッセージの個数が直接シグナリング（ｓｉｇｎａｌｉｎｇ）されても良い。
【０１０２】
以上で記述された制御メッセージの一例として、ＩＥＥＥ  ８０２．１６ｍシステムのＡ−ＭＡＰ（Ａｄｖａｎｃｅｄ  Ｍａｐ）  ＩＥ（Ｉｎｆｏｒｍａｔｉｏｎ  Ｅｌｅｍｅｎｔ）が考慮できる。もし、Ａ−ＭＡＰ  ＩＥに変復調コーディングが適用された後に実際にＡ−ＭＡＰチャネルに割り当てられるＡ−ＭＡＰリソースユニット（Ａ−ＭＡＰ  ｒｅｓｏｕｒｃｅ  ａｌｌｏｃａｔｉｏｎ  ｕｎｉｔ：以下、‘Ａ−ＭＡＰ  ＩＥ割当ユニット’という。）の大きさ別にグループが構成されると、各グループ内に存在するＡ−ＭＡＰ  ＩＥ割当ユニットの大きさは同一に設定されることができる。図５は、本発明の一実施例による制御メッセージ並べ替えパターンを示す図である。図５に示すように、変復調コーディングが適用された後にＡ−ＭＡＰ  ＩＥ割当ユニットが大きさ別に並べ替えられ、同一の大きさのＡ−ＭＡＰ  ＩＥ割当ユニットが一グループを構成することができる。
【０１０３】
また、Ａ−ＭＡＰ  ＩＥに変復調コーディングが適用された後に実際にＡ−ＭＡＰチャネルに割り当てられるＡ−ＭＡＰ  ＩＥ割当ユニットが大きさ別に並べ替えられ、同一の大きさを持つＡ−ＭＡＰ  ＩＥ割当ユニット内でそれらＡ−ＭＡＰ  ＩＥ割当ユニットがＭＣＳレベル別に並べ替えられることも可能である。
【０１０４】
図６は、本発明の一実施例による制御メッセージ並べ替えパターンを示す図である。図６に示すように、同一のＭＣＳレベル及び同一の大きさを持つＡ−ＭＡＰ  ＩＥ割当ユニットをグループ化することができる。Ａ−ＭＡＰ  ＩＥが、１ＭＬＲＵ（Ｍｉｎｉｍｕｍ  Ａ−ＭＡＰ  Ｌｏｇｉｃａｌ  Ｒｅｓｏｕｒｃｅ  Ｕｎｉｔ）と２ＭＬＲＵの大きさで存在し、これらＡ−ＭＡＰ  ＩＥにＱＰＳＫ１／２及びＱＰＳＫ１／４（ＭＣＳの種類は別々に適用されることができる）の変復調コーディングが行われるとすれば、実際Ａ−ＭＡＰチャネルに割り当てられるＡ−ＭＡＰ  ＩＥ割当ユニットの大きさは、１ＭＬＲＵ、２ＭＬＲＵ、４ＭＬＲＵとなる。ＭＬＲＵは、Ａ−ＭＡＰ  ＩＥの大きさ単位である。ここで、１ＭＬＲＵ大きさのＡ−ＭＡＰ  ＩＥ割当ユニットは、１ＭＬＲＵのＡ−ＭＡＰ  ＩＥがＱＰＳＫ１／２で変復調コーディングされて得られ、２ＭＬＲＵ大きさのＡ−ＭＡＰ  ＩＥ割当ユニットは、２ＭＬＲＵのＡ−ＭＡＰ  ＩＥがＱＰＳＫ１／２で変復調コーディングされたり、１ＭＬＲＵのＡ−ＭＡＰ  ＩＥがＱＰＳＫ１／４で変復調コーディングされて得られ、４ＭＬＲＵ大きさのＡ−ＭＡＰ  ＩＥ割当ユニットは、２ＭＬＲＵのＡ−ＭＡＰ  ＩＥがＱＰＳＫ１／４で変復調コーディングされて得られることができる。したがって、総４個のグループが存在し、ブラインドディテクションを簡易にさせるために、各グループ別大きさ（または、Ａ−ＭＡＰ  ＩＥ割当ユニットの個数）または特定パターンと定義されたインデックス情報が伝送されることができる。これらの情報は、ユーザー不特定（Ｎｏｎ−ｕｓｅｒ  ｓｐｅｃｉｆｉｃ  Ａ−ＭＡＰ）Ａ−ＭＡＰを通じて伝送されることができる。
【０１０５】
一方、Ａ−ＭＡＰ  ＩＥ割当ユニットがＭＣＳレベルによってグループ化されると、グループ内に存在する各Ａ−ＭＡＰ  ＩＥ割当ユニットの大きさは異なることがあるが、グループ内に存在するＡ−ＭＡＰ  ＩＥ割当ユニットのＭＣＳレベルは同一に設定されることができる。図７は、本発明の一実施例による制御メッセージ並べ替えパターンを示す図である。図７では、Ａ−ＭＡＰ  ＩＥに変復調コーディングが適用された後のＡ−ＭＡＰ  ＩＥ割当ユニットがＭＣＳレベル別にグループ化される。
【０１０６】
また、Ａ−ＭＡＰ  ＩＥに変復調コーディングが適用された後に、実際にＡ−ＭＡＰチャネルに割り当てられるＡ−ＭＡＰ  ＩＥ割当ユニットはＭＣＳレベル別に並べ替えられ、同一のＭＣＳレベルを持つＡ−ＭＡＰ  ＩＥ割当ユニットは大きさ別に再び並べ替えられることができる。図８は、本発明の一実施例による制御メッセージ並べ替えパターンを示す図である。図８に示すように、同一のＭＣＳレベル及び同一の大きさを持つＡ−ＭＡＰ  ＩＥ割当ユニットがグループ化されることができる。Ａ−ＭＡＰ  ＩＥが１ＭＬＲＵと２ＭＬＲＵの大きさで存在し、これらのＡ−ＭＡＰ  ＩＥにＱＰＳＫ１／２とＱＰＳＫ１／４（ＭＣＳの種類は別々に適用されることができる。）で変復調コーディングが行われるとすれば、実際にＡ−ＭＡＰチャネルに割り当てられるＡ−ＭＡＰ  ＩＥ割当ユニットの大きさは、１ＭＬＲＵ、２ＭＬＲＵ、４ＭＬＲＵになる。この時、１ＭＬＲＵ大きさのＡ−ＭＡＰ  ＩＥ割当ユニットは、１ＭＬＲＵのＡ−ＭＡＰ  ＩＥがＱＰＳＫ１／２で変復調コーディングされて得られ、２ＭＬＲＵ大きさのＡ−ＭＡＰ  ＩＥ割当ユニットは、２ＭＬＲＵのＡ−ＭＡＰ  ＩＥがＱＰＳＫ１／２で変復調コーディングされたり、１ＭＬＲＵのＡ−ＭＡＰ  ＩＥがＱＰＳＫ１／４で変復調コーディングされて得られ、４ＭＬＲＵ大きさのＡ−ＭＡＰ  ＩＥ割当ユニットは、２ＭＬＲＵのＡ−ＭＡＰ  ＩＥがＱＰＳＫ１／４で変復調コーディングされて得られる。したがって、総４個のグループが存在し、ブラインドディテクションを簡易にさせるために、各グループ別大きさ（または、Ａ−ＭＡＰ  ＩＥ割当ユニットの個数）または特定パターンと定義されたインデックス情報が伝送される。このような情報は、ユーザー不特定（Ｎｏｎ−ｕｓｅｒ  ｓｐｅｃｉｆｉｃ  Ａ−ＭＡＰ）Ａ−ＭＡＰを通じて伝送されることができる。
【０１０７】
また、このような情報を端末に知らせる方法としては、セル（ｃｅｌｌ）内にある全ての端末にブロードキャスト（ｂｒｏａｄｃａｓｔ）する方法が考慮できる。
【０１０８】
ＩＥＥＥ  ８０２．１６ｍシステムを想定した時、ユーザー不特定Ａ−ＭＡＰ（Ｎｏｎ−ｕｓｅｒ  ｓｐｅｃｉｆｉｃ  Ａ−ＭＡＰ）あるいはＳＦＨ（Ｓｕｐｅｒ  ｆｒａｍｅ  Ｈｅａｄｅｒ）を用いて当該情報を伝送することができる。
【０１０９】
この時、部分周波数再使用（Ｆｒａｃｔｉｏｎａｌ  Ｆｒｅｑｕｅｎｃｙ  Ｒｅｕｓｅ；ＦＦＲ）のような多重周波数パーティション（ｍｕｌｔｉｐｌｅ  ｆｒｅｑｕｅｎｃｙ  ｐａｒｔｉｔｉｏｎ）が適用され、各パーティション別にユーザー不特定Ａ−ＭＡＰが存在する場合、任意のパーティションにおけるＡ−ＭＡＰ構成情報が、他のパーティションに割り当てられたユーザー不特定Ａ−ＭＡＰで指示される場合、及びユーザー不特定Ａ−ＭＡＰが再使用（ｒｅｕｓｅ）領域別に１個ずつ存在する場合などを考慮できる。各パーティション別にユーザー不特定Ａ−ＭＡＰが存在する時、本発明で提案した該当のパーティションのＡ−ＭＡＰ構成情報は該当のパーティションで伝送される。
【０１１０】
ユーザー不特定Ａ−ＭＡＰがいかなるパーティションにも存在しない場合、任意のパーティションにおけるＡ−ＭＡＰ構成情報が、他のパーティションに割り当てられたユーザー不特定Ａ−ＭＡＰで指示されることもある。例えば、再使用１（ｒｅｕｓｅ  １）パーティションと再使用３（ｒｅｕｓｅ  ３）パーティションが同時に適用される場合、パワーブースティング（ｐｏｗｅｒ  ｂｏｏｓｔｉｎｇ）される特定再使用−Ｎ（ｒｅｕｓｅ−Ｎ）パーティションあるいは再使用１パーティションでのみユーザー不特定Ａ−ＭＡＰが伝送されることが考慮できる。この時、各パーティション別Ａ−ＭＡＰ構成情報（各グループ別大きさ、Ａ−ＭＡＰ  ＩＥ割当ユニット数、または上述したインデックス生成方法を用いたインデックス情報）をユーザー不特定Ａ−ＭＡＰで伝送する方法を適用することができる。また、パワーブースティングされる特定再使用−Ｎパーティションと再使用１パーティションの両方もユーザー不特定Ａ−ＭＡＰを伝送する場合、該当のパーティションに該当するＡ−ＭＡＰ情報は、該当のパーティションのユーザー不特定Ａ−ＭＡＰで指示されることができる。
【０１１１】
グループは、各パーティション別Ａ−ＭＡＰ  ＩＥ割当ユニットの総大きさにより定義されることができる。すなわち、多重パーティションが適用されて総４個のパーティションが構成されているとすれば、４個のグループが存在し、端末はパーティションによる各グループの大きさ（または、Ａ−ＭＡＰ  ＩＥ割当ユニットの数）または上述のインデックス生成方法を用いたインデックス情報がユーザー不特定Ａ−ＭＡＰあるいはＳＦＨを通じて通知されることができる。
【０１１２】
各パーティション別にユーザー不特定Ａ−ＭＡＰが存在する時、本発明で提案した該当のパーティションのＡ−ＭＡＰ構成情報は該当のパーティションで伝送される。
【０１１３】
以下では、システムで部分周波数再使用（ＦＦＲ）のような多重周波数パーティション（Ｆｒｅｑｕｅｎｃｙ  Ｐａｒｔｉｔｉｏｎ；ＦＰ）が適用される場合、ユーザー不特定Ａ−ＭＡＰの構成と該構成情報の伝送方法について説明する。
【０１１４】
ＦＦＲにより考慮可能なＦＰの個数は運営方法によって決定されることができる。例えば、ＦＦＲ方式がＦＦＲ  １／３（すなわち、ＦＦＲと関連した周波数再使用率が１／３であることを意味）が適用される場合、ＦＰは３個となり、ＦＦＲ  １／３とＦＦＲ  １が適用される場合、ＦＰは４個となる。
【０１１５】
また、ＦＰの特性（例えば、パワーブースティング）を考慮してＦＰ別に特定ＭＣＳレベルを限定して使用することができる。例えば、パワーブースティングされたＦＰに対してはＱＰＳＫ１／２を適用し、ＦＦＲ  １パーティションに対してはＱＰＳＫ１／２及び／またはＱＰＳＫ１／８を適用し、パワーダウンされたＦＰに対してはＱＰＳＫ１／８を適用することができる。
【０１１６】
一方、制御メッセージは全てのＦＰに存在することもでき、あらかじめ定められた特定ＦＰにのみ存在することもできる。制御メッセージがあらかじめ定められた特定ＦＰにのみ存在すると、例えば、制御メッセージＦＦＲ１／３の場合は、パワーブースティングされたＦＰにのみ存在することができ、ＦＦＲ１／３とＦＦＲ１の場合は、パワーブースティングされたＦＰ及び／またはＦＦＲ  １のＦＰにのみ存在できる。
【０１１７】
また、制御メッセージがグループ化して伝送される場合、該制御メッセージが存在するＦＰに、本発明で提案したグループ化方法を適用することができる。
【０１１８】
以下、ＦＦＲを適用したシステムにおいて、制御メッセージがグループ化して伝送される例を説明する。
【０１１９】
第１の例で、Ａ（Ａｓｓｉｇｎｍｅｎｔ）−Ａ−ＭＡＰ  ＩＥの大きさにはＡタイプとＢタイプの２種類が存在し、ＦＰの個数は１（ＦＦＲ  １が適用される）であり、適用可能なＭＣＳがＱＰＳＫ１／２及びＱＰＳＫ１／８であるとする。ＡタイプにＱＰＳＫ１／２及びＱＰＳＫ１／８がそれぞれ適用されて、それぞれ１ＭＬＲＵ割当ユニットと４ＭＬＲＵ割当ユニットが生成され、ＢタイプにＱＰＳＫ１／２及びＱＰＳＫ１／８がそれぞれ適用されて、それぞれ２ＭＬＲＵ割当ユニットと８ＭＬＲＵ割当ユニットが生成される。したがって、ＭＣＳが適用されると、１ＭＬＲＵ、２ＭＬＲＵ、４ＭＬＲＵ、８ＭＬＲＵのＡ−ＭＡＰ  ＩＥ割当ユニットが存在する。生成された１ＭＬＲＵは、グループ１に設定され、２ＭＬＲＵはグループ２に設定され、４ＭＬＲＵはグループ３に設定され、８ＭＬＲＵはグループ４に設定されることができる。この時、最大伝送可能なＡ−Ａ−ＭＡＰ  ＩＥの個数はＡ−Ａ−ＭＡＰのために割り当てられたリソース領域の大きさによって決定されることができる。図９は、本発明の一実施例による、ＦＦＲが適用される場合の制御メッセージ並べ替えパターンを示す図である。図９に示すように、生成されたＭＬＲＵは、同一のＭＣＳレベル及び同一のＩＥ大きさを持つリソースを論理的に連続した（ｌｏｇｉｃａｌｌｙ  ｃｏｎｓｅｃｕｔｉｖｅ）ＭＬＲＵからなるグループにマッピングすることができる。
【０１２０】
第２の例で、Ａ−Ａ−ＭＡＰ（Ａｓｓｉｇｎｍｅｎｔ）ＩＥの大きさには、ＡタイプとＢタイプの２種類が存在し、ＦＰの個数は３（ＦＦＲ  １／３が適用される）と仮定する。また、Ａ−Ａ−ＭＡＰは、パワーブースティングされたパーティションにのみ存在し、使用されるＭＣＳはＱＰＳＫ１／２に限定される。ＡタイプとＢタイプにそれぞれＱＰＳＫ１／２が適用されて１ＭＬＲＵ割当ユニットと２ＭＬＲＵ割当ユニットが生成されるので、ＭＣＳを適用すると、１ＭＬＲＵと２ＭＬＲＵのＡ−Ａ−ＭＡＰ割当ユニットが存在するようになる。該生成された１ＭＬＲＵ割当ユニットはグループ１に、２ＭＬＲＵ割当ユニットはグループ２に設定することができる。図１０は、本発明の一実施例による、ＦＦＲが適用される場合における制御メッセージ並べ替えパターンを示す図である。図１０に示すように、同一のＭＣＳレベル及び同一のＩＥ大きさを有するリソースは、論理的に連続した（ｌｏｇｉｃａｌｌｙ  ｃｏｎｓｅｃｕｔｉｖｅ）ＭＬＲＵからなるグループにマッピングされることができる。
【０１２１】
第３の例で、Ａ（Ａｓｓｉｇｎｍｅｎｔ）−Ａ−ＭＡＰ  ＩＥの大きさにはＡタイプとＢタイプの２種類が存在し、ＦＰの個数は４（ＦＦＲ  １／３とＦＦＲ  １が適用される）であるとする。また、該当のＦＰの特性（例えば、パワーブースティング）を考慮してＦＰ別に特定ＭＣＳレベルを限定して使用する。例えば、利用可能なＭＣＳとして、ＦＦＲ  １／３パワーブースティングパーティションにＱＰＳＫ  １／２が適用され、ＦＦＲ  １パーティションにＱＰＳＫ  １／８が適用される。ＦＦＲ  １／３パワーブースティングパーティション内のＡタイプとＢタイプにそれぞれＱＰＳＫ  １／２が適用されてそれぞれ１ＭＬＲＵ割当ユニットと２ＭＬＲＵ割当ユニットが生成され、ＦＦＲ  １領域では、ＡタイプとＢタイプにＱＰＳＫ１／８が適用されてそれぞれ４ＭＬＲＵ割当ユニットと８ＭＬＲＵ割当ユニットが生成される。したがって、この場合に、ＭＣＳが適用されると、１ＭＬＲＵ、２ＭＬＲＵ、４ＭＬＲＵ、８ＭＬＲＵ（Ｍｉｎｉｍｕｍ  Ａ−ＭＡＰ  Ｌｏｇｉｃａｌ  Ｒｅｓｏｕｒｃｅ  Ｕｎｉｔ）のＡ−ＭＡＰ  ＩＥが存在する。該生成された１ＭＬＲＵはグループ１に、２ＭＬＲＵはグループ２に、４ＭＬＲＵはグループ３に、８ＭＬＲＵはグループ４に設定されることができる。図１１は、本発明の一実施例による、ＦＦＲが適用された場合における制御メッセージ並べ替えパターンを示す図である。図１１に示すように、生成されたＭＬＲＵは、同一のＭＣＳレベル及び同一のＩＥ大きさを有するリソースを、論理的に連続したＭＬＲＵからなるグループにマッピングすることができる。
【０１２２】
第４の例で、Ａ（Ａｓｓｉｇｎｍｅｎｔ）−Ａ−ＭＡＰ  ＩＥの大きさとしてはＡタイプとＢタイプの２種類が存在し、ＦＰの個数は４（ＦＦＲ  １／３とＦＦＲ  １が適用される）であるとする。また、該当のＦＰの特性（例えば、パワーブースティング）を考慮してＦＰ別に特定ＭＣＳレベルに限定して使用する。例えば、利用可能なＭＣＳとして、ＦＦＲ  １／３パワーブースティングパーティションにＱＰＳＫ  １／２が適用され、ＦＦＲ  １パーティションにＱＰＳＫ  １／２及びＱＰＳＫ  １／８が適用される。ＦＦＲ  １／３パワーブースティングパーティションでは、ＡタイプとＢタイプにそれぞれＱＰＳＫ  １／２が適用されてそれぞれ１ＭＬＲＵ割当ユニットと２ＭＬＲＵ割当ユニットが生成される。ＦＦＲ  １パーティションでは、ＡタイプとＢタイプにＱＰＳＫ１／２が適用されてそれぞれ１ＭＬＲＵ割当ユニットと２ＭＬＲＵ割当ユニットが生成され、ＡタイプとＢタイプにＱＰＳＫ１／８が適用されてそれぞれ４ＭＬＲＵ割当ユニットと８ＭＬＲＵ割当ユニットが生成される。
【０１２３】
この場合に、ＭＣＳが適用されると、１ＭＬＲＵ、２ＭＬＲＵ、４ＭＬＲＵ、８ＭＬＲＵのＡ−ＭＡＰ  ＩＥ割当ユニットが存在する。ＦＦＲ  １／３パワーブースティングパーティションの１ＭＬＲＵ割当ユニットはグループ１に、２ＭＬＲＵはグループ２に設定され、ＦＦＲ  １パーティションの１ＭＬＲＵ割当ユニットはグループ３に、２ＭＬＲＵはグループ４に、４ＭＬＲＵはグループ５に、８ＭＬＲＵはグループ６に設定されることができる。図１２は、本発明の一実施例による、ＦＦＲが適用される場合における制御メッセージ並べ替えパターンを示す図である。図１２に示すように、生成されたＭＬＲＵは、同一のＭＣＳレベル及び同一のＩＥ大きさを有するリソースを、論理的に連続したＭＬＲＵからなるグループにマッピングすることができる。この時、同一のＭＣＳレベル及び同一のＩＥ大きさを有するリソースであっても、異なるＦＰに存在すると異なるグループにマッピングすることができる。
【０１２４】
第５の例で、Ａ（Ａｓｓｉｇｎｍｅｎｔ）−Ａ−ＭＡＰ  ＩＥの大きさとしてはＡタイプとＢタイプの２種類が存在し、ＦＰの個数は４（ＦＦＲ  １／３とＦＦＲ  １が適用される）であるとする。全てのＦＰに同一のＭＣＳレベルが限定して使用され、リンク性能を維持するために必要に応じてパワーレベルを調整することができる。例えば、利用可能なＭＣＳとして、ＱＰＳＫ１／２を使用することができる。ＦＦＲ  １／３パワーブースティングパーティションではＡタイプとＢタイプにそれぞれＱＰＳＫ  １／２が適用されてそれぞれ１ＭＬＲＵ割当ユニットと２ＭＬＲＵ割当ユニットが生成され、ＦＦＲ  １パーティションではＡタイプとＢタイプにＱＰＳＫ  １／２が適用されてそれぞれ１ＭＬＲＵ割当ユニットと２ＭＬＲＵ割当ユニットが生成される。
【０１２５】
この時、Ａ−Ａ−ＭＡＰが同一まＭＣＳレベル及び同一のＩＥサイズからなっても、異なるＦＰに存在すると異なるグループにグループ化することができる。したがって、ＦＦＲ  １／３パワーブースティングパーティションの１ＭＬＲＵ割当ユニットはグループ１に、２ＭＬＲＵはグループ２に設定され、ＦＦＲ  １パーティションの１ＭＬＲＵ割当ユニットはグループ３に、２ＭＬＲＵはグループ４に設定されることができる。図１３は、本発明の一実施例による、ＦＦＲが適用された場合における制御メッセージ並べ替えパターンを示す図である。図１３に示すように、生成されたＭＬＲＵは同一のＭＣＳレベル及び同一のＩＥ大きさを有するリソースを、論理的に連続したＭＬＲＵからなるグループにマッピングすることができる。この時、同一のＭＣＳレベル及び同一のＩＥ大きさを有するリソースであっても、異なるＦＰに存在すると異なるグループにマッピングすることができる。
【０１２６】
すなわち、上述したように、ＦＦＲによってＦＰが多数個存在する場合、上述のグループ化方法のうちの一つが、制御メッセージが存在するＦＰ内で適用されることができる。また、上述のグループ化方法の組み合わせが使用されることもできる。
【０１２７】
以下では、多数の端末に放送（ｂｒｏａｄｃａｓｔ）する制御チャネルを通じてＡ−Ａ−ＭＡＰ  ＩＥが伝送される方法について説明する。様々なＦＰがシステムで許容される場合、それらＦＰを效率的にシグナリングする方法が必要である。例えば、各グループ別Ａ−Ａ−ＭＡＰ  ＩＥ割当ユニットの個数または各グループの大きさをシグナリングすることができる。または、各グループ別全ての可能なＡ−Ａ−ＭＡＰ  ＩＥ割当ユニットの個数がテーブルとして生成され、該当の伝送方法に合うインデックスがシグナリングされることもできる。この時、最大ＭＬＲＵの個数（例えば、最大ＭＬＲＵの個数が１６、１７、１８、１９、２０、２１、２３、３３、３４、３５、３６、３７、３８、３９、４０、４１、４２）別にそれぞれテーブルが生成され、該当の伝送方法に合うテーブルからインデックスが選択されて伝送されることができる。
【０１２８】
以下では、テーブルを生成してインデックスをシグナリングする方法について説明する。
【０１２９】
第１のケースで、ＦＰ構成に関係しない共通の超集合（ｓｕｐｅｒｓｅｔ）テーブルを生成し、該テーブルのインデックスを使用することができる。例えば、１個、３個または４個のＦＰの全てに適用可能なテーブルを生成することができる。このために、ＦＰの個数が１、３または４の場合、生成可能な全てのグループを包括する超集合テーブルを生成することができる。この場合、伝送方法によって超集合が決定される。例えば、上述した第１の例、第２の例及び第３の例を全部包括可能にするために、総４個のグループに適用可能な超集合テーブルを生成する。また、第１の例、第２の例及び第５の例を全部包括可能にするために、総４個のグループに適用可能な超集合テーブルを生成する。第１の例、第２の例及び第４の例を全て包括可能にするために、総６個のグループに適用可能な超集合テーブルを生成する。
【０１３０】
第２のケースで、超集合テーブルを生成し、特定ＦＰに関連したインデックスを超集合テーブルの部分集合（ｓｕｂｓｅｔ）としてシグナリングすることができる。例えば、上記の第１の例、第２の例及び第３の例を全部包括可能にするために、総４個のグループに適用可能な超集合テーブルが存在する場合、該超集合テーブルを第１の例及び第３の例のために使用され、第２の例では超集合テーブルからインデックスが抽出されてシグナリングされることができる。
【０１３１】
第３のケースで、ＦＰ構成によって個別にテーブルを生成して使用することができる。すなわち、ＦＰによって異なるテーブルを適用することができる。例えば、１個、３個または４個のＦＰが支援されるシステムの場合、ＦＰの個数別に適合した最適のテーブルが生成され、該当のテーブルのインデックスがシグナリングされる。この時、テーブルの生成原理は、上述した方法と同一である。上記第１の例のような場合に、４個グループのそれぞれのユニットの個数またはグループ大きさを用いて生成されたテーブルのインデックスをシグナリングすることができる。また、上記第２の例のような場合、２個グループのそれぞれのユニットの個数またはグループ大きさを用いて生成されたテーブルのインデックスをシグナリングすることができる。また、上記の第３の例乃至第５の例のような場合には、グループの個数またはグループの大きさを用いて生成されたテーブルのインデックスをシグナリングすることができる。
【０１３２】
ＦＰの個数または使用されるべきテーブルの種類は、放送チャネル（Ｂｒｏａｄｃａｓｔ  Ｃｈａｎｎｅｌ；ＢＣＨ）を通じて各端末に放送することもでき、インデックスを使用する前にＡ−ＭＡＰ内のユーザー不特定制御メッセージを用いてシグナリングすることもできる。
【０１３３】
第４のケースで、ＦＰに存在するグループのうち、同一の特性（例えば、同一のＭＣＳ及び／またはＩＥ大きさ）を持つグループを統合してテーブルを生成することができる。例えば、上記の第４の例または第５の例で、グループ３はグループ１と、グループ４はグループ２と、その特性が同一である。この場合、グループ１及びグループ３をグループＡとして統合し、グループ２及びグループ４をグループＢとして統合することによってテーブルを生成することができる。この場合、制御メッセージをデコーディングするためのブラインドディテクションの複雑度が増加することがある。一方、以上説明した制御メッセージをグループ化する基準に加えて、制御メッセージを、制御メッセージの用途、例えば、アップリンク割当、ダウンリンク割当またはダウンリンク持続的（ｐｅｒｓｉｓｔｅｎｔ）割当によってグループ化することができる。
【０１３４】
以上の説明においてグループ化の基準は主に制御メッセージの大きさまたはＭＣＳレベルを取り上げたが、グループを構成する基準は上記の例に制限されない。様々な基準によってグループ化でき、以上説明した内容は、これら様々な基準に適用可能である。様々なＦＰを支援するテーブル生成方法及びシグナリング方法は、様々な帯域及び制御シグナリング周期を支援するテーブル生成方法と結合して使用することができる。各グループ別可能な全ての組み合わせを考慮して生成する方法の他に、シグナリングオーバーヘッドを減らすための方法をテーブル生成方法として適用することができる。
【０１３５】
以上説明した方法を用いて、端末は制御メッセージを受信する前にあらかじめ制御メッセージの並べ替えパターンに関する情報を受信した上で、制御メッセージを受信することができる。端末は、当該情報に含まれた制御メッセージ並べ替えパターンを用いて、受信した制御メッセージの中から自身のメッセージを検出することができる。
【０１３６】
したがって、制御メッセージを伝送する前に制御メッセージ並べ替えパターンに関する情報を端末に通知することによって、オーバーヘッドを最小化しながらブラインドディテクションを簡易にさせることが可能である。その結果、制御メッセージを確認するための複雑性及び時間を軽減することができる。
【０１３７】
図１４は、基地局と端末に適用可能であり、以上説明した方法を実行できる装置の構成を示すブロック図である。図１４に示すように、装置６０は、処理ユニット６１、メモリーユニット６２、ＲＦ（Ｒａｄｉｏ  Ｆｒｅｑｕｅｎｃｙ）ユニット６３、ディスプレイユニット６４及びユーザーインターフェースユニット６５を含む。物理インターフェースプロトコルの層は処理ユニット６１で行われる。処理ユニット６１は、制御プレーン（ｐｌａｎｅ）とユーザープレーン（ｐｌａｎｅ）を提供する。各層の機能は処理ユニット６１で行うことができる。メモリーユニット６２は、処理ユニット６１と電気的に連結されており、オペレーティングシステム（ｏｐｅｒａｔｉｎｇ  ｓｙｓｔｅｍ）、応用プログラム（ａｐｐｌｉｃａｔｉｏｎ）及び一般ファイルを格納している。もし、装置６０が端末であれば、ディスプレイユニット６４は様々な情報を表示でき、公知のＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ  Ｅｍｉｔｔｉｎｇ  Ｄｉｏｄｅ）等を用いて具現することができる。ユーザーインターフェースユニット６５は、キーパッド、タッチスクリーンなどのような公知のユーザーインターフェースと結合して構成することができる。ＲＦユニット６３は、処理ユニット６１と電気的に連結されており、無線信号を伝送したり受信する。
【０１３８】
本明細書において、本発明の実施例は、基地局と端末間のデータ送受信関係を中心に説明された。ここで、基地局は、端末と直接的に通信を行うネットワークの終端ノード（ｔｅｒｍｉｎａｌ  ｎｏｄｅ）の意味を有する。本文書で、基地局により行われると説明された特定動作は、場合によっては、基地局の上位ノード（ｕｐｐｅｒ  ｎｏｄｅ）により行われることもできる。
【０１３９】
すなわち、基地局を含む多数のネットワークノード（ｎｅｔｗｏｒｋ  ｎｏｄｅｓ）からなるネットワークにおいて端末との通信のために行われる種々の動作は、基地局または基地局以外の別のネットワークノードにより行われることができる。ここで、‘基地局’は、固定局（ｆｉｘｅｄ  ｓｔａｔｉｏｎ）、Ｎｏｄｅ  Ｂ、ｅＮｏｄｅ  Ｂ（ｅＮＢ）、アクセスポイントなどの用語に代替可能である。また、本発明で端末は移動端末（ＭＳ：Ｍｏｂｉｌｅ  Ｓｔａｔｉｏｎ）’ら該当し、移動端末は、ユーザー機器（ＵＥ：Ｕｓｅｒ  Ｅｑｕｉｐｍｅｎｔ）、ＳＳ（Ｓｕｓｃｒｉｂｅｒ  Ｓｔａｔｉｏｎ）、ＭＳＳ（Ｍｏｂｉｌｅ  Ｓｕｂｓｃｒｉｂｅｒ  Ｓｔａｔｉｏｎ）または端末（Ｍｏｂｉｌｅ  Ｔｅｒｍｉｎａｌ）などの用語に代替可能である。
【０１４０】
また、送信端は、データまたは音声サービスを伝送するノードを意味し、受信端は、データまたは音声サービスを受信するノードを意味する。したがって、アップリンクでは、端末が送信端となり、基地局が受信端となりうる。同様に、ダウンリンクでは、端末が受信端となり、基地局が送信端となりうる。
【０１４１】
一方、本発明の移動局には、ＰＤＡ（Ｐｅｒｓｏｎａｌ  Ｄｉｇｉｔａｌ  Ａｓｓｉｓｔａｎｔ）、セルラーフォン、ＰＣＳ（Ｐｅｒｓｏｎａｌ  Ｃｏｍｍｕｎｉｃａｔｉｏｎ  Ｓｅｒｖｉｃｅ）フォン、ＧＳＭ（Ｇｌｏｂａｌ  Ｓｙｓｔｅｍ  ｆｏｒ  Ｍｏｂｉｌｅ）フォン、ＷＣＤＭＡ（Ｗｉｄｅｂａｎｄ  ＣＤＭＡ）フォン、ＭＢＳ（Ｍｏｂｉｌｅ  Ｂｒｏａｄｂａｎｄ  Ｓｙｓｔｅｍ）フォンなどを用いることができる。
【０１４２】
本発明の実施例は様々な手段を通じて具現することができる。例えば、本発明の実施例は、ハードウェア、ファームウェア（ｆｉｒｍｗａｒｅ）、ソフトウェアまたはそれらの結合などにより具現することができる。
【０１４３】
ハードウェアによる具現の場合、本発明の実施例に係る方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサー、コントローラ、マイクロコントローラ、マイクロプロセッサーなどにより具現することができる。
【０１４４】
ファームウェアやソフトウェアによる具現の場合、本発明の実施例に係る方法は、以上で説明された機能または動作を行うモジュール、手順または関数などの形態で具現することができる。ソフトウェアコードはメモリーユニットに記憶されてプロセッサーにより駆動されることができる。メモリーユニットは、プロセッサーの内部または外部に設けられて、公知の様々な手段によりプロセッサーとデータを交換することができる。
【実施例】
【０１４５】
様々な実施例が発明の実施のための最善の形態として記述された。
【産業上の利用可能性】
【０１４６】
本発明は、無線接続システムに使用される端末またはネットワーク機器に適用することができる。
【０１４７】
本発明は、本発明の精神及び必須特徴を逸脱しない範囲で他の特定の形態に具体化されることができる。したがって、上記の詳細な説明は、いずれの面においても制約的に解析されてはならず、例示的なものとして考慮されなければならない。本発明の範囲は、添付した請求項の合理的な解析により決定されるべきであり、よって、本発明の等価的範囲内における変更はいずれも本発明の範囲に含まれる。また、特許請求の範囲で明示的な引用関係を有しない請求項を結合して実施例を構成したり、出願後の補正により新しい請求項として含めることができる。
【図１】
0005268204.tif 000012
【図２】
0005268204.tif 000013
【図３】
0005268204.tif 000014
【図４】
0005268204.tif 000015
【図５】
0005268204.tif 000016
【図６】
0005268204.tif 000017
【図７】
0005268204.tif 000018
【図８】
0005268204.tif 000019
【図９】
0005268204.tif 000020
【図１０】
0005268204.tif 000021
【図１１】
0005268204.tif 000022
【図１２】
0005268204.tif 000023
【図１３】
0005268204.tif 000024
【図１４】
0005268204.tif 000025